(57)【要約】      （修正有）【課題】屋外に設置されているソーラーパネルに対して簡易に設置可能で、ソーラーパネルの出力特性の検査を可能とする、放熱性に優れた可搬型のソーラーシミュレータを提供する。【解決手段】ソーラーシミュレータは、各々が、平板状の長方形底板５１（６１）とその各側縁に固定立設された４枚の平板状の長方形側板とからなる一対の直方体ケースと、一対の直方体ケースを開閉可能に結合する連結部材１６とを備える。各直方体ケースにおいては、底板の外部に露出する面と反対側の面上に回路基板７２が載置され、回路基板の底板と接した面と反対側の面上には等間隔にマトリクス状に配置された多数のＬＥＤ素子からなるＬＥＤ素子アレイ７０が配列される。一対の直方体ケースの各底板は薄い金属製又は非金属製の放熱板で形成される。連結部材は、一対の直方体ケースを互いのＬＥＤ素子アレイが向き合った閉位置と同方向に向いた開位置との間で開閉可能とする。【選択図】図５
2017157356.tif 000002
【特許請求の範囲】
【請求項１】
各々が、平板状の長方形底板とその各側縁に固定され立設された４枚の平板状の長方形側板とからなる一対の直方体ケースと、
該一対の直方体ケースを開閉可能に結合する連結部材とを備えたソーラーシミュレータであって、
前記一対の直方体ケースの各々においては、前記底板の外部に露出する面と反対側の面上に回路基板が載置され、該回路基板の前記底板と接した面と反対側の面上には等間隔にマトリクス状に配置された多数の点光源としてのＬＥＤ素子からなるＬＥＤ素子アレイが配列され、
前記一対の直方体ケースの各底板は薄い金属製又は非金属製の放熱板で形成され、
前記連結部材は、前記一対の直方体ケースを互いの前記ＬＥＤ素子アレイが向き合った閉位置と互いの前記ＬＥＤ素子アレイが同方向に向いた開位置との間で開閉可能とする、ことを特徴とするソーラーシミュレータ。
【請求項２】
前記一対の直方体ケースの各々において、前記回路基板は前記底板に複数の固定部材により固定される、ことを特徴とする請求項１記載のソーラーシミュレータ。
【請求項３】
前記一対の直方体ケースの各々において、前記回路基板の前記ＬＥＤ素子アレイが配列された面上で、前記ＬＥＤ素子の間に複数の柱状のサポートが前記底板に垂直な方向に立設され、該複数のサポートの各下端は前記底板及び前記回路基板を貫通した第１の結合部材により結合され、前記複数のサポートの各上端には板状の保護カバーが載置され、前記複数のサポートの各上端は前記保護カバーを貫通した第２の結合部材により結合され、それにより前記回路基板を前記底板に固定すると共に、前記保護カバーを前記複数のサポートにより強固に保持する、ことを特徴とする請求項１記載のソーラーシミュレータ。
【請求項４】
前記複数のサポート及び前記保護カバーは前記ＬＥＤ素子の出力光を透過する透明部材からなる、ことを特徴とする請求項１から３のいずれかに記載のソーラーシミュレータ。
【請求項５】
更に、前記一対の直方体ケースが互いに向き合った閉位置において、前記一対の直方体ケースを施錠して閉位置に保持するための施錠部材と、取手とが前記一対の直方体ケースの外周部分に設けられた、ことを特徴とする請求項１から４のいずれかに記載のソーラーシミュレータ。
【請求項６】
請求項３に記載のソーラーシミュレータを２台備え、更に、
該２台のソーラーシミュレータの各々を前記開位置において並置した状態で、前記２台のソーラーシミュレータを結合する連結手段と、
前記２台のソーラーシミュレータが該連結手段で結合された状態において、前記各ソーラーシミュレータの一対の直方体ケースの隣接する一対の側板の間、かつ前記２台のソーラーシミュレータ同士で隣接する一対の側板の間にそれぞれ前記底板に垂直な方向に立設し、前記隣接する一対の側板の上端より所定の長さ突出するようにした複数の支持部材とを、備えたことを特徴とするソーラーシミュレータアセンブリ。
【請求項７】
前記各支持部材は前記ＬＥＤ素子の出力光を透過する透明部材からなり、前記各支持部材の前記底板からの高さは同一である、ことを特徴とする請求項６に記載のソーラーシミュレータアセンブリ。
【請求項８】
前記各支持部材は、前記ＬＥＤ素子の出力光を透過する長方形状の透明な平板と、一対のステップ状の固定部材と、該一対のステップ状の固定部材を前記平板のその縦長方向中程で前記平板の両側から締め付けて固定する締め付け部材とで構成され、
前記各支持部材は、その下端側から対応する隣接する一対の側板の間に挿入され、その一対のステップ状の固定部材がそれぞれ該一対の側板の上端に当接して係止され、一対のステップ状の固定部材により該一対の側板の上端部を両側から挟持して弾性的に保持するようにした、ことを特徴とする請求項６に記載のソーラーシミュレータアセンブリ。
【請求項９】
請求項３に記載のソーラーシミュレータを２台備え、更に、
該２台のソーラーシミュレータの各々を前記開位置において並置した状態において、前記各ソーラーシミュレータの一対の直方体ケースの隣接する一対の側板の間、かつ前記２台のソーラーシミュレータ同士で隣接する一対の側板の間にそれぞれ前記底板に垂直な方向に立設し、前記隣接する一対の側板の上端より所定の長さ突出し、該一対の側板の上端部を両側から挟持して弾性的に保持するようにした複数の支持部材を、備えたことを特徴とするソーラーシミュレータアセンブリ。
【請求項１０】
前記各支持部材は、前記ＬＥＤ素子の出力光を透過する長方形状の透明な平板と、一対のステップ状の固定部材と、該一対のステップ状の固定部材を前記平板のその縦長方向中程で前記平板の両側から締め付けて固定する締め付け部材とで構成され、
前記各支持部材は、その下端側から対応する隣接する一対の側板の間に挿入され、その一対のステップ状の固定部材がそれぞれ該一対の側板の上端に当接して係止され、一対のステップ状の固定部材により該一対の側板の上端部を両側から挟持して弾性的に保持するようにした、ことを特徴とする請求項９に記載のソーラーシミュレータアセンブリ。
【請求項１１】
請求項６から１０のいずれかに記載のソーラーシミュレータアセンブリにおいて、更に、
前記２台のソーラーシミュレータの各々に電源を供給するための携帯型コントロールボックスを備え、
前記２台のソーラーシミュレータの各々の前記直方体ケースには前記ＬＥＤ素子アレイに給電するためのケーブルコネクタが設けられ、前記コントロールボックスからの給電ケーブルがそれぞれ接続可能とされる、ことを特徴とするソーラーシミュレータシステム。
【請求項１２】
前記コントロールボックスは、外部交流電源を所定の直流電圧に変換する変圧器と、過電流等を検出すると電路を開放するブレーカと、直流電圧を前記給電ケーブルに出力する時間を設定するタイマとを備える、ことを特徴とする請求項１１に記載のソーラーシミュレータシステム。
【請求項１３】
前記コントロールボックスは、更に、テストオンボタンを備え、該テストオンボタンをオンすることで、前記所定の直流電圧が前記給電ケーブルを介して前記各ソーラーシミュレータに供給され、かつ該テストオンボタンをオンすると、前記タイマが起動され、前記タイマにより設定された時間経過後に自動的に前記給電ケーブルへの給電を停止する、ことを特徴とする請求項１２に記載のソーラーシミュレータシステム。
【請求項１４】
請求項３に記載のソーラーシミュレータを２台備え、該２台のソーラーシミュレータの各々を前記開位置において並置した状態で、前記２台のソーラーシミュレータを連結手段にて結合し、
前記２台のソーラーシミュレータが該連結手段で結合された状態において、前記各ソーラーシミュレータの一対の直方体ケースの隣接する一対の側板の間、かつ前記２台のソーラーシミュレータ同士で隣接する一対の側板の間にそれぞれ複数の支持部材を前記底板に垂直な方向に立設し、前記隣接する一対の側板の上端より所定長さ突出するようにした、ことを特徴とするソーラーシミュレータアセンブリの設置方法。
【発明の詳細な説明】
【技術分野】
【０００１】
本発明は、太陽電池を評価するためのソーラーシミュレータ(擬似太陽光照射装置)、ソーラーシミュレータアセンブリ、その設置方法及びソーラーシミュレータシステムに関するものである。
【背景技術】
【０００２】
従来から、太陽電池（ソーラーパネル、太陽電池モジュール）の光電変換特性の経年劣化等を評価するために、擬似的な太陽光を人工的に発生して太陽電池に照射し、その電気的な出力特性を測定している。このような、一定の条件を満たす光を太陽電池に照射するための光源装置としてソーラーシミュレータが利用されている。
【０００３】
ソーラーシミュレーターにおいては、光源として、キセノンランプやハロゲンランプを用いた場合には、光源からの光を拡散させたり集光させたりして光の伝播途中において光の向きを制御することにより、太陽電池の照射面における放射照度を均一化する必要があり、そのための光学系が必要とされ、その結果、光源から照射面までの光路長が長くなった。そこで、発光ダイオード（ＬＥＤ）などの固体光源を平面状に配列した平板状の光源ユニットを採用し、光源から照射面までの光路長を短くすることが提案されている（例えば、特許文献１、特許文献２参照）。
【先行技術文献】
【特許文献】
【０００４】
【特許文献１】特表２００４−５１１９１８号公報
【特許文献２】特開２００４−２８１７０６号公報
【発明の概要】
【発明が解決しようとする課題】
【０００５】
しかしながら、上記従来文献に記載の公知技術においては、出荷前の太陽電池の特性測定を想定しており、従って、ソーラーシミュレータを屋内に設置して出荷前の太陽電池に光を照射して測定をするものである。一方、出荷後の屋外に設置しているソーラーパネルの測定を行う場合には、例えば、ソーラーシミュレータを専用車両に搭載し、車両に搭載した状態で光をソーラーパネルに照射する等の方法が採られており、ソーラーシミュレータを含んだ全体のソーラーシミュレータシステムの構成が大規模となり、手軽にソーラーパネルを検査することはできなかった。
従って、屋外に設置されているソーラーパネルを簡易に検査したいという要求に対応可能なソーラーシミュレータ及びソーラーシミュレータシステムの実現が望まれていた。
【０００６】
本発明は、このような事情に鑑みてなされたもので、屋外に設置されているソーラーパネルに対して簡易に設置可能で、ソーラーパネルの出力特性の検査を容易に可能とする、放熱性に優れた可搬型のソーラーシミュレータ、ソーラーシミュレータアセンブリ、該ソーラーシミュレータを用いたソーラーシミュレータシステム及び該ソーラーシミュレータアセンブリの設置方法を提供することを目的とする。
【課題を解決するための手段】
【０００７】
前記課題を解決するための手段として、以下の各態様を提示する。
第１の態様によるソーラーシミュレータは、各々が、平板状の長方形底板とその各側縁に固定され立設された４枚の平板状の長方形側板とからなる一対の直方体ケースと、該一対の直方体ケースを開閉可能に結合する連結部材とを備え、前記一対の直方体ケースの各々においては、前記底板の外部に露出する面と反対側の面上に回路基板が載置され、該回路基板の前記底板と接した面と反対側の面上には等間隔にマトリクス状に配置された多数の点光源としてのＬＥＤ素子からなるＬＥＤ素子アレイが配列され、前記一対の直方体ケースの各底板は薄い金属製又は非金属製の放熱板で形成され、前記連結部材は、前記一対の直方体ケースを互いの前記ＬＥＤ素子アレイが向き合った閉位置と互いの前記ＬＥＤ素子アレイが同方向に向いた開位置との間で開閉可能とする、ものである。
【０００８】
前記第１の態様によれば、ソーラーシミュレータは折り畳み式の一対の直方体ケースから成り、各ケースの薄い底板上に、ＬＥＤ素子アレイを搭載した回路基板が載置されている。このような構成を有するソーラーシミュレータは可搬型で運搬や移動が容易であり、屋外でのソーラーパネル上への設置を極めて容易に行える。また、ＬＥＤ素子アレイを搭載した回路基板が金属製又は非金属製の放熱板で形成されているため、放熱性が良く、測定時のＬＥＤ素子アレイの温度上昇を防止し、劣化を防ぐことができる。
【０００９】
第２の態様によるソーラーシミュレータは、前記第１の態様において、前記一対の直方体ケースの各々において、前記回路基板は前記底板に複数の固定部材により固定されるものである。    
第３の態様によるソーラーシミュレータは、前記第１の態様において、前記一対の直方体ケースの各々において、前記回路基板の前記ＬＥＤ素子アレイが配列された面上で、前記ＬＥＤ素子の間に複数の柱状のサポートが前記底板に垂直な方向に立設され、該複数のサポートの各下端は前記底板及び前記回路基板を貫通した第１の結合部材により結合され、前記複数のサポートの各上端には板状の保護カバーが載置され、前記複数のサポートの各上端は前記保護カバーを貫通した第２の結合部材により結合され、それにより前記回路基板を前記底板に固定すると共に、前記保護カバーを前記複数のサポートにより強固に保持するものである。  
【００１０】
この第３の態様によれば、複数の柱状のサポートにより回路基板を底板に固定すると共に、保護カバーを複数のサポートにより強固に保持するものである。また、ＬＥＤ素子アレイ全体の上部は保護カバーで覆われているため、外部からの汚染に対してＬＥＤ素子アレイを保護でき、ＬＥＤ素子アレイからの光のソーラーパネルへの照射量の減少を防止できる。
また、好ましくは、前記複数のサポート及び前記保護カバーは前記ＬＥＤ素子の出力光を透過する透明部材からなるものである。
更に、好ましくは、前記一対の直方体ケースが互いに向き合った閉位置において、前記一対の直方体ケースを施錠して閉位置に保持するための施錠部材と、取手とが前記一対の直方体ケースの外周部分に設けられるものである。
【００１１】
第４の態様によるソーラーシミュレータアセンブリは、前記第３の態様のソーラーシミュレータを２台備え、更に、該２台のソーラーシミュレータの各々を前記開位置において並置した状態において、前記各ソーラーシミュレータの一対の直方体ケースの隣接する一対の側板の間、かつ前記２台のソーラーシミュレータ同士で隣接する一対の側板の間にそれぞれ前記底板に垂直な方向に立設し、前記隣接する一対の側板の上端より所定の長さ突出するようにした複数の支持部材とを、備えたものである。
【００１２】
この第４の態様によれば、屋外に設置されているソーラーパネルに対して簡易に設置可能で、ソーラーパネルの出力特性の検査を容易に可能とする、放熱性に優れた可搬型のソーラーシミュレータアセンブリを提供できる。特に、２台のソーラーシミュレータの各々を開位置において並置した状態において、各ソーラーシミュレータの一対の直方体ケースの隣接する一対の側板の間、かつ２台のソーラーシミュレータ同士で隣接する一対の側板の間にそれぞれ底板に垂直な方向に立設し、隣接する一対の側板の上端より所定の長さ突出するようにした複数の支持部材とを備えることにより、２台のソーラーシミュレータを連結し、かつ各ソーラーシミュレータのＬＥＤ素子アレイのソーラーパネルに対する高さを所望位置に設定できる。  
【００１３】
第５の態様によるソーラーシミュレータアセンブリは、前記第４の態様において、前記各支持部材は、前記ＬＥＤ素子の出力光を透過する長方形状の透明な平板と、一対のステップ状の固定部材と、該一対のステップ状の固定部材を前記平板のその縦長方向中程で前記平板の両側から締め付けて固定する締め付け部材とで構成され、前記各支持部材は、その下端側から対応する隣接する一対の側板の間に挿入され、その一対のステップ状の固定部材がそれぞれ該一対の側板の上端に当接して係止され、一対のステップ状の固定部材により該一対の側板の上端部を両側から挟持して弾性的に保持するようにしたものである。これにより隣接する２台のソーラーシミュレータ同士が強固に結合されると共に、各ソーラーシミュレータをソーラーパネル上に安定的に支持できるものである。
【００１４】
第６の態様によるソーラーシミュレータシステムは、前記第４又は５の態様のソーラーシミュレータアセンブリにおいて、更に、前記２台のソーラーシミュレータの各々に電源を供給するための携帯型コントロールボックスを備え、前記２台のソーラーシミュレータの各々の前記直方体ケースには前記ＬＥＤ素子アレイに給電するためのケーブルコネクタが設けられ、前記コントロールボックスからの給電ケーブルがそれぞれ接続可能とされるものである。
好ましくは、前記コントロールボックスは、外部交流電源を所定の直流電圧に変換する変圧器と、過電流等を検出すると電路を開放するブレーカと、直流電圧を前記給電ケーブルに出力する時間を設定するタイマとを備える。
また、好ましくは、前記コントロールボックスは、更に、テストオンボタンを備え、該テストオンボタンをオンすることで、前記所定の直流電圧が前記給電ケーブルを介して前記各ソーラーシミュレータに供給され、かつ該テストオンボタンをオンすると、前記タイマが起動され、前記タイマにより設定された時間経過後に自動的に前記給電ケーブルへの給電を停止する、
【００１５】
第７の態様によるソーラーシミュレータアセンブリの設置方法は、前記第３の態様のソーラーシミュレータを２台備え、該２台のソーラーシミュレータの各々を前記開位置において並置した状態で、前記２台のソーラーシミュレータを連結手段にて結合し、前記２台のソーラーシミュレータが該連結手段で結合された状態において、前記各ソーラーシミュレータの一対の直方体ケースの隣接する一対の側板の間、かつ前記２台のソーラーシミュレータ同士で隣接する一対の側板の間にそれぞれ複数の支持部材を前記底板に垂直な方向に立設し、前記隣接する一対の側板の上端より所定長さ突出するようにしたものである。
【発明の効果】
【００１６】
本発明によるソーラーシミュレータによれば、可搬型で運搬や移動が容易であり、屋外でのソーラーパネル上への設置を極めて容易に行える。また、ＬＥＤ素子アレイを搭載した回路基板が金属製又は非金属製の放熱板で形成されているため、放熱性が良く、測定時のＬＥＤ素子アレイの温度上昇を防止し、劣化を防ぐことができる。
【００１７】
本発明によるソーラーシミュレータアセンブによれば、屋外に設置されているソーラーパネルに対して簡易に設置可能で、ソーラーパネルの出力特性の検査を容易に可能とする、放熱性に優れた可搬型のソーラーシミュレータアセンブリを提供できる。
【００１８】
また、本発明によるソーラーシミュレータシステムによれば、屋外に設置されているソーラーパネルに対して簡易に設置可能で、ソーラーパネルの出力特性の検査を容易に可能とする、放熱性に優れた可搬型のソーラーシミュレータシステムを提供することができる。
【００１９】
さらに、本発明によるソーラーシミュレータアセンブリの設置方法によれば、屋外に設置されているソーラーパネルに対して簡易に設置可能で、ソーラーパネルの出力特性の検査を容易に可能とするソーラーシミュレータアセンブリの設置方法を提供することができる。
【図面の簡単な説明】
【００２０】
【図１】本発明の実施の形態によるソーラーシミュレータ及びソーラーシミュレータシステムを用いたソーラーパネルの特性検査の概要を説明するための模式図である。
【図２】本実施の形態によるソーラーシミュレータを示す概略図であり、（イ）はその外観斜視図、（ロ）は（イ）のソーラーシミュレータを開いた状態の上面図、（ハ）は（ロ）の開いた状態のソーラーシミュレータを２台連結したソーラーシミュレータアセンブリを示す上面図である。
【図３】本実施の形態によるソーラーシミュレータの概略図であり、（イ）は開いた状態のソーラーシミュレータの底面図、（ロ）、（ハ）はそれぞれ側面図である。
【図４】（イ）は、本実施の形態によるソーラーシミュレータを２台連結し各ソーラーシミュレータを開いた状態を示す概略上面斜視図であり、（ロ）は２台のソーラーシミュレータの側部連結部でのフッククランプを示す部分拡大図、（ハ）はケーブルコネクタを示す部分拡大図である。
【図５】（イ）は、本実施の形態によるソーラーシミュレータを２台連結し、各ソーラーシミュレータを開いた状態のソーラーシミュレータアセンブリを示す概略上面斜視図であり、（ロ）は（イ）におけるＡ−Ａ'に沿った断面図である。
【図６】（イ）は、本実施の形態によるソーラーシミュレータを２台連結し、各ソーラーシミュレータを開いた状態のソーラーシミュレータアセンブリを示す上面図であり、（ロ）はその側面図である。
【図７】（イ）は、本実施の形態によるソーラーシミュレータを２台連結し、各ソーラーシミュレータを開いた状態のソーラーシミュレータアセンブリを示す概略上面斜視図であり、（ロ）はその部分拡大図、（ハ）は支持部材の平面図であり、（二）は支持部材と隣接する側板との関係を示す側断面図であり、（ホ）は支持部材を隣接する側板の間に挿入固定した状態を示す側断面図である。
【図８】（イ）はコントロールボックスの外観斜視図であり、（ロ）は蓋を開いた状態を示す斜視図である。
【図９】コントロールボックスとソーラーシミュレータとの接続状態を示す概念図である。
【図１０】コントロールボックスの内部回路の構成例を示すブロック図である。
【発明を実施するための形態】
【００２１】
以下、本発明によるソーラーシミュレータ、ソーラーシミュレータアセンブリ、その設置方法及びソーラーシミュレータシステムの実施の形態について、添付図面を参照して説明する。
【００２２】
図１は、本発明の実施の形態によるソーラーシミュレータ及びソーラーシミュレータシステムを用いたソーラーパネルの出力特性の測定の概要を説明するための模式図である。
図１に示す様に、屋外に設置されたソーラーパネル１００の受光面に対して、光源であるＬＥＤが対向するように、ソーラーシミュレータ１（１Ａ、１Ｂ）がソーラーパネル１００の受光面上に載置される。ソーラーシミュレータ１（１Ａ、１Ｂ）のケーブルコネクタ１８、１８には、コントロールボックス２００の給電ケーブル２０５、２０６がそれぞれ接続され、所定の直流電圧が供給される。コントロールボックス２００には安定器２２０を介して交流電源が接続され、コントロールボックス２００により電圧変換された電圧がソーラーシミュレータ１（１Ａ、１Ｂ）に送られ、ソーラーシミュレータ１（１Ａ、１Ｂ）の光源であるＬＥＤが発光される。ＬＥＤからの光を受光したソーラーパネル１００の受光面からの出力を図示しない測定器により測定することで、そのソーラーパネル１００出力特性を評価することができる。
ソーラーシミュレータ１（１台若しくは結合された状態の２台）とコントロールボックス２００、更に好ましくは安定器２１０を含んでソーラーシミュレータシステムが構成される。
【００２３】
図２は本実施の形態によるソーラーシミュレータ１を示す概略図であり、（イ）はその外観斜視図、（ロ）は開いて光源であるＬＥＤ載置面を露出した状態のソーラーシミュレータ１を示す上面図、（ハ）は（ロ）の開いた状態のソーラーシミュレータ１を２台連結したソーラーシミュレータアセンブリを示す上面図である。
ソーラーシミュレータ１は、例えば、直方体状の上部ケース１１と下部ケース１２を備え、これらケースは同一形状、同一寸法を有し、ヒンジ等の連結部材１６により、（イ）において矢印に示す方向に開閉可能に結合される。また、例えば、上部ケース１１の上端面には取手１３が設けられ、上部ケース１１、下部ケース１２の上端面２か所には、上部ケース１１と下部ケース１２を閉じた状態において、これら上部下部ケースを施錠して閉位置に保持するための施錠部材１４、１４が設けられている。また、上部ケース１１、下部ケース１２の一方、例えば、上部ケース１１の上端側側面（後述する側板５２Ｂ）の一方端にはフッククランプ（輪金具等）２０を設け、他方、例えば、下部ケース１２の上端側側面（後述する側板６２Ｂ）の対応する一方端には受金具２１が設けられる。これらフッククランプ（輪金具等）２０と受金具２１とで連結用の施錠手段（連結手段）を構成するが、これに限らず、他の公知の部材で施錠部材（連結部材）を構成して良い。図中、符号３０は等間隔で配置されたサポート、３２は支持部材であり、それぞれ詳細は後述する。
【００２４】
ソーラーシミュレータ１の縦、横、高さ寸法は、閉じた状態において、一例として、（イ）に示す様に５００ｍｍ、１、０００ｍｍ、１６０ｍｍである。従って、（ロ）に示す様に１８０度開いた状態では縦、横寸法は共に１、０００ｍｍであり、（ハ）の様に２台のソーラーシミュレータ１Ａ，１Ｂを連結した場合には縦、横寸法は共に１、０００ｍｍ、２０００ｍｍとなる。ここで２台のソーラーシミュレータ１Ａ，１Ｂはそれぞれ同一構成、同一寸法である。
なお、このような寸法は一例であってこれに限定されるものではなく、ソーラーパネルのサイズに従って任意に設計変更可能である。
【００２５】
図３はソーラーシミュレータ１の概略図であり、（イ）は開いた状態のソーラーシミュレータ１の底面図、（ロ）、（ハ）はそれぞれ（イ）において矢印Ａ，Ｂ方向から見た側面図である。ソーラーシミュレータ１Ａ，１Ｂは同一の構成を有する。
図３に示す様に、ソーラーシミュレータ１の上部ケース１１は、平板状の長方形底板５１、その各側縁に固定され立設された４枚の平板状の長方形側板５２（５２Ａ〜５２Ｄ）からなる。下部ケース１２も同様に、長方形の底板６１、その周囲に固定され立設された４枚の長方形の側板６２（６２Ａ〜６２Ｄ）からなる。側板５２、６２の底板５１、６１への固定方法は周知の方法で良い。
底板５１、６１は放熱性及び軽量、強固、耐久性等を考慮して薄い金属製の板、例えばアルミニウム板、若しくは薄い非金属製の板、例えば、耐熱性プラスチック又はアクリル板で形成され、厚さは例えば、０．５ｍｍ〜３０ｍｍである。側板５２、６２は、耐熱性の透明な部材、例えば、耐熱性プラスチック又はアクリル板で構成され、光源であるＬＥＤからの出力光を透過させるのが好ましい。
【００２６】
図４の（イ）は、ソーラーシミュレータ１を２台連結し各ソーラーシミュレータ１（１Ａ，１Ｂを開いた状態を示す概略上面斜視図であり、（ロ）は２台のソーラーシミュレータ１（１Ａ，１Ｂ）の側部連結部でのフッククランプ（輪金具）２０、受金具２１を示すもので（イ）における丸い線２２で囲った部分の拡大図、（ハ）はケーブルコネクタ１８を示す部分拡大図である。フッククランプ（輪金具）２０は、各ソーラーシミュレータ１（１Ａ，１Ｂ）において、図３に示す様に上部ケース１１の上端面の一方端に設けられ、受金具２１は下部ケース１２の上端面の端に設けられる。なお、連結用の施錠部材（連結部材）としてはフッククランプに限らず他の同様な機能を有する部材を採用可能である。
ケーブルコネクタ１８（１８Ａ，１８Ｂ）は、フッククランプ（輪金具）２０が設けられた側面５２Ｃ，６２Ｃの反対側側面５２Ａ，６２Ａにそれぞれ設けられ、それぞれにはコントロールボックス２００の給電ケーブル２０５、２０６が接続され、それにより所定の直流電圧を対応する上部ケース１１と下部ケース１２のＬＥＤ素子アレイに供給する。なお、ケーブルコネクタ１８（１８Ａ，１８Ｂ）の取付位置は側面５２Ａ，６２Ａに限らず、それに代えて側面５２Ｂ，６２Ｂにそれぞれ設けるようにしても良い。
【００２７】
図５の（イ）は、ソーラーシミュレータ１を２台連結し各ソーラーシミュレータ１（１Ａ，１Ｂを開いた状態のソーラーシミュレータアセンブリを示す概略上面斜視図であり、（ロ）は（イ）におけるＡ−Ａ'矢視断面図である。
図５（ロ）に示す様に、底板５１（６１）の表面（外部に露出する裏面と反対側の面）上には回路基板７２が載置される。回路基板７２は側板５２Ａ〜５２Ｄ（６２Ａ〜６２Ｄ）の内周縁のわずかに内側に沿って配置された長方形状である。回路基板７２の表面（底板５１（６１）と接した裏面と反対側の面）上には等間隔にマトリクス状に配置された多数の点光源としてのＬＥＤ素子（ＬＥＤチップ）７０がＬＥＤ素子アレイとして載置される。一例として、１台のソーラーシミュレータ１の上部、下部ケース１１、１２の各々のＬＥＤ素子は約３０００である。
【００２８】
回路基板７２上には、上端、下端部それぞれに軸方向にめねじ２８、２９が設けられた柱状、例えば、円柱状のサポート３０が所定数のＬＥＤ素子毎に等間隔にマトリクス状に立設される。サポート３０は縦横方向に隣接するＬＥＤ素子の間に配置される。一例として、図２等に示される様に、上部、下部ケース１１、１２の各々において、５?１０＝５０個のサポート３０が配置される。このサポート３０は耐熱性の透明な強固な部材、例えば、耐熱性プラスチック又はアクリル樹脂で形成される。
底板５１（６１）及び回路基板７２の各サポート３０の下端に対応する位置には穴２４，２５が設けられ、ボルト２６が挿入されてサポート３０のめねじ２８に螺合される。これにより回路基板７２上に各サポート３０が底板５１（６１）に垂直な方向に強固に立設されると共に、回路基板７２が底板５１（６１）に固定される。ここでボルト２６とサポート３０は、回路基板７２を底板５１（６１）に固定（結合）する固定部材（結合部材）として機能する。
【００２９】
これら円柱状のサポート３０の上端には、側板５２Ａ〜５２Ｄ（６２Ａ〜６２Ｄ）の内周縁に沿って配置された長方形の板状の保護カバー４０が載置される。この保護カバー４０は耐熱性の透明な強固な部材、例えば、耐熱性プラスチック又はアクリル樹脂で形成される。保護カバー４０の各サポート３０の上端に対応する位置には穴４１が設けられ、ボルト２７が挿入されてサポート３０のめねじ２９に螺合される。これにより保護カバー４０は各サポート３０により強固に保持される。ここで、サポート３０の高さは側板５２（６２）の高さの、例えば、約７〜８割程度に設定される。
これら回路基板７２、ＬＥＤ素子アレイ７０、サポート３０、保護カバー４０はＬＥＤパネル部８０を構成する。ここではソーラーシミュレータ１Ａの上部ケース１１におけるＬＥＤパネル部８０について説明したが、下部ケース１２におけるＬＥＤパネル部８０の構成も同様であり、ソーラーシミュレータ１Ｂについても同様である。
【００３０】
図６の（イ）は、ソーラーシミュレータ１を２台連結し各ソーラーシミュレータ１（１Ａ，１Ｂを開いた状態のソーラーシミュレータアセンブリを示す上面図であり、（ロ）は（イ）において矢印Ｃ方向から見た側面図である。
図において支持部材３２（３２Ａ〜３２Ｄ）は、ソーラーシミュレータ１（１Ａ，１Ｂ）を開いて２台連結した状態でソーラーパネル１００に載置する際に２台のソーラーシミュレータ１（１Ａ，１Ｂ）を支持するためのものであり、例えば、少なくとも４か所に配置される。即ち、一例として、各ソーラーシミュレータ１Ａ，１Ｂにおいて、隣接する側板５２Ｄ、６２Ｄの間に支持部材３２Ａ，３２Ｂが立設され、更に、隣接するソーラーシミュレータ１Ａ，１Ｂにおいて、隣接する側板５２Ｃ、６２Ｃの間に支持部材３２Ｃ，３２Ｄが立設される。
このように、２台の連結されるソーラーシミュレータ１（１Ａ，１Ｂと支持部材３２（３２Ａ〜３２Ｄ）とでソーラーシミュレータアセンブリが構成される。
【００３１】
図７の（イ）は、ソーラーシミュレータ１を２台連結し、各ソーラーシミュレータ１Ａ，１Ｂを開いた状態のソーラーシミュレータアセンブリを示す概略上面斜視図であり、（ロ）はその支持部材３２を示すもので（イ）の○丸い線３９で囲った部分の拡大図であり、（ハ）は支持部材３２の平面図であり、（二）は支持部材３２と側板５２，６２との関係を示す側断面図であり、（ホ）は支持部材３２を隣接する側板５２，６２の間に挿入固定した状態を示す側断面図である。
図７の（ロ）〜（二）に示す様に、支持部材３２は、長方形状の透明な平板３３と、一対のステップ状の固定金具３４、３４と、締め付け部材としての２対のボルト３５、ナット３６とで構成される。平板３３は、例えば、耐熱性プラスチック又はアクリル板で、光源であるＬＥＤからの出力光を透過させるのが好ましい。固定金具３４は、（ハ）、（二）に示す様に、上側平板部３４ａ、ステップ部（肩部）３４ｃ、下側平板部３４ｂから構成され、一枚の金属平板を折り曲げ加工して形成され、弾性を有する。
平板３３はその縦長方向中程の両端部付近に１対の穴が設けられ、一対のステップ状の固定金具３４、３４それぞれの上側平板部３４ａの両端部付近にも１対の穴が設けられている。平板３３の両側から一対のステップ状の固定金具３４、３４が当接され、平板３３及び固定金具３４、３４のそれぞれ対応する一対の穴にボルト３５が挿入されナット３６で締め付けされ、これにより支持部材３２が構成される。
【００３２】
このように構成された支持部材３２は（二）に示す様に、その下端から隣接する側板５２，６２（５２Ｃ、６２Ｃ及び５２Ｄ，６２Ｄ）の間の間隙３８に挿入される。すると（ホ）に示す様に、各固定金具３４、３４のステップ部３４ｃが側板５２，６２の上端に当接して係止され、それ以上の挿入が阻止される。ここでステップ状に構成された各固定金具３４、３４の下側平板部３４ｂにより、隣接する側板５２，６２の上端部を両側から挟持して弾性的に保持するため、支持部材３２は隣接する一対の側板５２，６２間の間隙３８内で強固に保持される。なお、平板３３の板厚は側板５２，６２（５２Ｃ、６２Ｃ及び５２Ｄ，６２Ｄ）の間の間隙３８と略一致するかそれより僅かに小さい値に設定されるため、支持部材３２は隣接する一対の側板５２，６２間に挿入固定される。従って、各支持部材３２は、隣接する側板５２，６２（５２Ｃ、６２Ｃ及び５２Ｄ，６２Ｄ）に沿って、底板５１（６１）に垂直な方向に立設されることとなる。
また、（ホ）に示す状態において、各固定金具３４、３４の下端、即ち、下側平板部３４ｂの下端は保護カバー４０より僅かに上方に位置するよう、各固定金具３４、３４の平板３３に対する取付位置は設定される。
また、好ましくは、ステップ部３４ｃから支持部材３２の上端までの高さは約１００ｍｍである。更に、当然ながら各支持部材３２は同一サイズであり、その取り付け後の底板５１、６１からの高さは同一で、各支持部材３２の上端は同一平面上に位置するものである。
【００３３】
このように４つの支持部材３２を、図７の（イ）に示す様に隣接する側板５２，６２（５２Ｃ、６２Ｃ及び５２Ｄ，６２Ｄ）間にそれぞれに挿入し固定した状態で、連結されたソーラーシミュレータ１Ａ，１ＢはそのＬＥＤパネル部８０をソーラーパネル１００に向けて載置され、測定がなされる（図１参照）。なお、支持部材３２の数は４つに限定されるものではなく、４つ以上設置するようにしても良い。また、支持部材３２の設置位置は、例えば、図６の（イ）において、支持部材３２Ａ，３２Ｂについてはそれぞれ、各ソーラーシミュレータ１Ａ，１Ｂにおいて、側板５２Ｄ，６２Ｄの縦長方向（図の左右方向）全長の側板５２Ａ，６２Ａからほぼ１／４〜１／２の範囲内の位置が好ましい。また、支持部材３２Ｃ，３２Ｄについてはそれぞれ、側板５２Ｃ，６２Ｃの縦長方向（図の上下方向）全長の側板５２Ｂ，６２Ｂからほぼ１／４〜１／２の範囲内の位置が好ましい。
こうして支持部材３２を隣接する側板５２，６２（５２Ｃ、６２Ｃ及び５２Ｄ，６２Ｄ）間にそれぞれに挿入し固定することで、ソーラーシミュレータ１Ａ，１Ｂをソーラーパネル１００に簡易にしかも安定して載置できる。また、支持部材３２によりソーラーシミュレータ１Ａ，１Ｂのたわみやねじれを防止できる。
【００３４】
次に、コントロールボックス２００の典型例の構成について図８、図９を参照して説明する。
図８の（イ）はコントロールボックス２００の外観斜視図であり、（ロ）はその蓋を開いた状態を示す斜視図である。図９はコントロールボックス２００とソーラーシミュレータ１（１Ａ，１Ｂ）との接続状態を示す概念図である。
図８の（イ）に示す様に、コントロールボックス２００は本体部２０１と蓋２０２から構成される。図８の（イ）に示す寸法は一例であってこれに限らない。図８の（ロ）及び図９に示す様に、コントロールボックス２００においては、交流入力端子２０１に電源ケーブル２０７が接続され、電源ケーブル２０７には安定器２２０（図１参照）を介して交流電源が接続される。交流入力端子２０１はコントロールボックス２００内の図示しない変圧器（電圧調整器）等を介して２つの出力端子２０２、２０４に接続される。出力端子２０２、２０４は給電ケーブル２０５、２０６を介してケーブルコネクタ１８（１８Ａ，１８Ｂ）にそれぞれ接続される。
【００３５】
コントロールボックス２００内にはスタンド２１８が設けられ、その脚部２１９の周囲に電源ケーブル２０７、給電ケーブル２０５、２０６を巻回可能となっている。また、スタンド２１８の下部には付属品等を収容可能となっている。コントローラパネル２１０にはテスト（測定）オンボタン２１１、テストオフボタン２１２、タイマ２１５、電圧計２１４、ブレーカ２１６が装着されている。タイマ２１５は、テスト（計測）時間（出力端子２０２、２０４からの直流電圧供給時間）を設定するものであり、電圧計２１４は出力端子２０２、２０４から出力される直流電圧を表示するものであり、ブレーカ２１６は過電流等を検出すると電路を開放し、一次側（外部交流電源側）から出力端子２０２、２０４側への電源供給を遮断することにより負荷回路や電線を損傷から保護するものである。
【００３６】
図１０にコントロールボックス２００の内部に収容された回路の構成例をブロック図で示す。
交流入力端子２０１はブレーカ２１６、変圧器（電圧調整器）２１７、スイッチ２２１を介して出力端子２０２、２０４に接続され、変圧器（電圧調整器）２１７とスイッチ２２１の間に電圧計２１４が接続される。また、テストオンボタン２１１の出力はスイッチ２２２を介してタイマ２１５及びスイッチ２２１に接続され、テストオフボタン２１２の出力はスイッチ２２２に接続されている。タイマ２１５の出力もスイッチ２２１に接続されている。なお、図１０の回路は一例であり、同様な機能を発揮するものであればこれに限定されない。
【００３７】
次に、コントロールボックス２００の動作について説明する。
電源ケーブル２０７の一端を交流入力端子２０１に接続すると共に、他端を安定器２２０を介して交流電源に接続し、給電ケーブル２０５、２０６の一端を出力端子２０２、２０４に接続し、他端をケーブルコネクタ１８（１８Ａ，１８Ｂ）にそれぞれ接続する。更に、タイマ２１５によりテスト（計測）時間を設定する。通常の測定時間は約１０〜２０秒である。
この状態でテストオンボタン２１１を押す（オンする）ことで、スイッチ２２１がオンされ、交流入力端子２０１に入力された外部交流電源が変圧器２１７により所定の直流電圧に変換され、スイッチ２２１を介して出力端子２０２、２０４に与えられる。従って、所定の直流電圧がケーブルコネクタ１８（１８Ａ，１８Ｂ）を介してソーラーシミュレータ１（１Ａ、１Ｂ）に供給され、ＬＥＤ素子が点灯する。また、テストオンボタン２１１を押すと、タイマ２１５が起動され、テストオンボタン２１１を押した後、タイマ２１５により設定された時間が経過すると、自動的にタイマ２１５はスイッチ２２１をオフ（解放）し、ソーラーシミュレータ１（１Ａ、１Ｂ）への給電が停止され、ＬＥＤ素子は消灯する。
なお、スイッチ２２２はテストオンボタン２１１が押されると一旦オンするが、その後、直ちに自動的にオフされる。
【００３８】
計測終了後、テストオフボタン２１２を押す（オンする）とスイッチ２２２はオンされる。従って、計測終了後、一旦、テストオフボタン２１２を押さないとスイッチ２２２はオフのままであり、その後テストオンボタン２１１を押しても直流電圧はケーブルコネクタ１８（１８Ａ，１８Ｂ）に給電されない。
こうして、ソーラーパネル１００の受光面に対して、光源であるＬＥＤ素子が対向するように、ソーラーシミュレータ１（１Ａ、１Ｂ）をソーラーパネル１００の受光面上に載置し、コントロールボックス２００を操作してＬＥＤ素子をオンして光をソーラーパネル１００の受光面に照射し、受光したソーラーパネル１００の受光面からの出力を図示しない測定器により測定することで、そのソーラーパネル１００出力特性を評価することができる。
【００３９】
次に、ソーラーシミュレータ１（１Ａ、１Ｂ）及びコントロールボックス２００の主な仕様及び効果の典型例を説明する。
ＬＥＤ素子アレイとしては、例えば、ＬＧＩＴ社のＬＥＭＷＳ５９Ｒ８０ＧＺを採用する。各ソーラーシミュレータ１（１Ａ、１Ｂ）の重量は約１６ＫＧであり、容易に人が運搬できるものである。またコントロールボックス２００の重量は約１７ＫＧであり、同様に容易に人が運搬できるものである。
また、ソーラーシミュレータ１（１Ａ、１Ｂ）及びコントロールボックス２００はそれぞれ携帯型のバック形状であり、運搬や移動が極めて容易である。更に、各ソーラーシミュレータ１（１Ａ、１Ｂ）は折り畳み式であるため、屋外でのソーラーパネル１００上への設置も、各ソーラーシミュレータ１の上部、下部ケースを開いて２台のソーラーシミュレータ１を連結用の施錠手段（連結手段）であるフッククランプ（輪金具等）２０と受金具２１で連結し、４つの支持部材３２を挿入するのみという極めて簡単な作業で行える。また、解体作業も支持部材３２の取り外しとソーラーシミュレータ１（１Ａ、１Ｂ）の連結解除のみであり、同様に、極めて迅速かつ簡易に行える。
【００４０】
ソーラーシミュレータ１（１Ａ、１Ｂ）において、底板５１、６１は薄い金属製の板若しくは薄い非金属製の板で形成されて外部に露出され、その上にＬＥＤ素子アレイを搭載した基板が載置されるため、発光時のＬＥＤ素子アレイからの熱は底板５１、６１から直接外部に放熱される、従って、ファン等を設けることなく発熱を極めて効率よく放熱できる。実験では、通常の約１０〜２０秒の測定時間、更にそれより長い測定時間においても、ＬＥＤ素子アレイの温度を３０度以下に維持できた。従って、測定時のＬＥＤ素子アレイの温度上昇を防止し、劣化を防ぐことができる。 
【００４１】
ソーラーシミュレータ１（１Ａ、１Ｂ）において、ＬＥＤ素子は均一に一定間隔で配置されているため、ソーラーパネル１００の受光面に対して均一な配光を実現できる。また、ＬＥＤ素子アレイ全体の上部は保護カバー４０で覆われているため、外部からの汚染に対してＬＥＤ素子アレイを保護でき、ＬＥＤ素子アレイからの光のソーラーパネル１００への照射量の減少を防止できる。
【００４２】
なお、本発明は、上述した実施形態に限定されるものではなく、適宜、変形、改良、等が可能である。その他、上述した実施形態における各構成要素の材質、形状、寸法、数、配置箇所、等は本発明を達成できるものであれば任意であり、実施形態に限定されない。
【００４３】
例えば、上記実施の形態では２台のソーラーシミュレータ１Ａ，１Ｂを連結してソーラーパネル１００に設置して測定を行う例について説明したが、３台以上のソーラーシミュレータ１を連結して測定を行う様にしても良い。その場合には、ケーブルコネクタ１８を側板５２Ｂ，６２Ｂに設けるようにし、連結用の施錠部材（連結部材）を側板５２Ｂ，６２Ｂの両端に設けるようにする。また、１台のソーラーシミュレータ１のみをソーラーパネル１００に設置して測定を行うようにしても良い。その場合には、支持部材３２としては、複数の側板５２，６２、例えば、側板５２Ａ，５２Ｃ，６２Ａ，６２Ｃ（図６の（イ）参照）等にそれを弾性的に挟持して立設されたものを設置するようにすれば良い。そのような支持部材の一例としては、例えば、図７の（ハ）、（二）に示す支持部材３２で平板３３のステップ部（肩部）３４ｃより下の部分が無いもの等が挙げられる。
【００４４】
ここで、上述した本発明に係るソーラーシミュレータ、ソーラーシミュレータアセンブリ、その設置方法及びソーラーシミュレータシステムの実施形態の特徴をそれぞれ以下（１）〜（１４）に簡潔に纏めて列記する。
（１）各々が、平板状の長方形底板（５１，６１）とその各側縁に固定され立設された４枚の平板状の長方形側板（５２Ａ〜５２Ｄ、６２Ａ〜６２Ｄ）とからなる一対の直方体ケース（１１、１２）と、
該一対の直方体ケースを開閉可能に結合する連結部材（１６）とを備えたソーラーシミュレータであって、
前記一対の直方体ケースの各々においては、前記底板（５１，６１）の外部に露出する面と反対側の面上に回路基板（７２）が載置され、該回路基板の前記底板と接した面と反対側の面上には等間隔にマトリクス状に配置された多数の点光源としてのＬＥＤ素子からなるＬＥＤ素子アレイ（７０）が配列され、
前記一対の直方体ケースの各底板（５１，６１）は薄い金属製又は非金属製の放熱板で形成され、
前記連結部材（１６）は、前記一対の直方体ケースを互いの前記ＬＥＤ素子アレイ（７０）が向き合った閉位置と互いの前記ＬＥＤ素子アレイ（７０）が同方向に向いた開位置との間で開閉可能とする、ソーラーシミュレータ。
（２）前記一対の直方体ケースの各々において、前記回路基板（７２）は前記底板（５１，６１）に複数の固定部材（２６，３０）により固定される、上記（１）に記載のソーラーシミュレータ。
（３）前記一対の直方体ケースの各々において、前記回路基板（７２）の前記ＬＥＤ素子アレイ（７０）が配列された面上で、前記ＬＥＤ素子の間に複数の柱状のサポート（３０）が前記底板（５１，６１）に垂直な方向に立設され、該複数のサポート（３０）の各下端は前記底板（５１，６１）及び前記回路基板（７２）を貫通した第１の結合部材（ボルト２６）により結合（螺合）され、前記複数のサポート（３０）の各上端には板状の保護カバー（４０）が載置され、前記複数のサポート（３０）の各上端は前記保護カバー（４０）を貫通した第２の結合部材（ボルト２７）により結合（螺合）され、それにより前記回路基板（７２）を前記底板（５１，６１）に固定すると共に、前記保護カバー（４０）を前記複数のサポート（３０）により強固に保持する、上記（１）に記載のソーラーシミュレータ。
（４）前記複数のサポート（３０）及び前記保護カバー（４０）は前記ＬＥＤ素子の出力光を透過する透明部材からなる、上記（１）〜（３）のいずれかに記載のソーラーシミュレータ。
（５）更に、前記一対の直方体ケースが互いに向き合った閉位置において、前記一対の直方体ケースを施錠して閉位置に保持するための施錠部材（１４）と、取手（１３）とが前記一対の直方体ケースの外周部分に設けられた、上記（１）〜（４）のいずれかに記載のソーラーシミュレータ。
（６）上記（３）に記載のソーラーシミュレータを２台備え、更に、
該２台のソーラーシミュレータの各々を前記開位置において並置した状態で、前記２台のソーラーシミュレータを結合する連結手段（２０，２１）と、
前記２台のソーラーシミュレータが該連結手段（２０，２１）で結合された状態において、前記各ソーラーシミュレータの一対の直方体ケース（１１、１２）の隣接する一対の側板の間、かつ前記２台のソーラーシミュレータ同士で隣接する一対の側板の間にそれぞれ前記底板（５１，６１）に垂直な方向に立設し、前記隣接する一対の側板の上端より所定の長さ突出するようにした複数の支持部材（３２）とを、備えたソーラーシミュレータアセンブリ。
（７）前記各支持部材（３２）は前記ＬＥＤ素子の出力光を透過する透明部材からなり、前記各支持部材（３２）の前記底板からの高さは同一である、上記（６）に記載のソーラーシミュレータアセンブリ。
（８）前記各支持部材（３２）は、前記ＬＥＤ素子の出力光を透過する長方形状の透明な平板（３３）と、一対のステップ状の固定部材（３４）と、該一対のステップ状の固定部材（３４）を前記平板（３３）のその縦長方向中程で前記平板（３３）の両側から締め付けて固定する締め付け部材（３５、３６）とで構成され、
前記各支持部材（３２）は、その下端側から対応する隣接する一対の側板の間に挿入され、その一対のステップ状の固定部材（３４）がそれぞれ該一対の側板の上端に当接して係止され、一対のステップ状の固定部材（３４）により該一対の側板の上端部を両側から挟持して弾性的に保持するようにした、上記（６）に記載のソーラーシミュレータアセンブリ。
（９）上記（３）に記載のソーラーシミュレータを２台備え、更に、該２台のソーラーシミュレータの各々を前記開位置において並置した状態において、前記各ソーラーシミュレータの一対の直方体ケース（１１、１２）の隣接する一対の側板の間、かつ前記２台のソーラーシミュレータ同士で隣接する一対の側板の間にそれぞれ前記底板（５１，６１）に垂直な方向に立設し、前記隣接する一対の側板の上端より所定の長さ突出し、該一対の側板の上端部を両側から挟持して弾性的に保持するようにした複数の支持部材（３２）を備えたソーラーシミュレータアセンブリ。
（１０）前記各支持部材（３２）は、前記ＬＥＤ素子の出力光を透過する長方形状の透明な平板（３３）と、一対のステップ状の固定部材（３４）と、該一対のステップ状の固定部材（３４）を前記平板（３３）のその縦長方向中程で前記平板（３３）の両側から締め付けて固定する締め付け部材（３５、３６）とで構成され、
前記各支持部材（３２）は、その下端側から対応する隣接する一対の側板の間に挿入され、その一対のステップ状の固定部材（３４）がそれぞれ該一対の側板の上端に当接して係止され、一対のステップ状の固定部材（３４）により該一対の側板の上端部を両側から挟持して弾性的に保持するようにした、上記（９）に記載のソーラーシミュレータアセンブリ。
（１１）上記（６）〜（１０）のいずれかに記載のソーラーシミュレータアセンブリにおいて、更に、前記２台のソーラーシミュレータの各々に電源を供給するための携帯型コントロールボックス（２００）を備え、
前記２台のソーラーシミュレータの各々の前記直方体ケース（１１、１２）には前記ＬＥＤ素子アレイ（７０）に給電するためのケーブルコネクタ（１８）が設けられ、前記コントロールボックス（２００）からの給電ケーブル（２０５、２０６）がそれぞれ接続可能とされる、ソーラーシミュレータシステム。
（１２）前記コントロールボックス（２００）は、外部交流電源を所定の直流電圧に変換する変圧器と、過電流等を検出すると電路を開放するブレーカ（２１６）と、直流電圧を前記給電ケーブル（２０５、２０６）に出力する時間を設定するタイマ（２１５）とを備える、上記（１１）に記載のソーラーシミュレータシステム。
（１３）前記コントロールボックス（２００）は、更に、テストオンボタン（２１１）を備え、該テストオンボタン（２１１）をオンすることで、前記所定の直流電圧が前記給電ケーブルを介して前記各ソーラーシミュレータ１（１Ａ、１Ｂ）に供給され、かつ該テストオンボタン（２１１）をオンすると、前記タイマ（２１５）が起動され、前記タイマにより設定された時間経過後に自動的に前記給電ケーブルへの給電を停止する、上記（１２）に記載のソーラーシミュレータシステム。
（１４）上記（３）に記載のソーラーシミュレータを２台備え、該２台のソーラーシミュレータの各々を前記開位置において並置した状態で、前記２台のソーラーシミュレータを連結手段（２０，２１）にて結合し、
前記２台のソーラーシミュレータが該連結手段（２０，２１）で結合された状態において、前記各ソーラーシミュレータの一対の直方体ケース（１１、１２）の隣接する一対の側板の間、かつ前記２台のソーラーシミュレータ同士で隣接する一対の側板の間にそれぞれ複数の支持部材（３２）を前記底板（５１，６１）に垂直な方向に立設し、前記隣接する一対の側板の上端より所定長さ突出するようにした、ソーラーシミュレータアセンブリの設置方法。
【符号の説明】
【００４５】
１（１Ａ，１Ｂ）  ソーラーシミュレータ
１１  上部ケース
１２  下部ケース
１３  取手
１４  施錠部材
１６  連結部材
１８  ケーブルコネクタ
２０  フッククランプ（連結手段）
２１  受金具（連結手段）
２６、２７  ボルト（結合部材）
３０  サポート（固定部材）
３２  支持部材
４０  保護カバー
５１、６１  底板
５２、６２  側板
７０  ＬＥＤ素子アレイ
７２  回路基板
１００  ソーラーパネル
２００  コントロールボックス
２０５、２０６  給電ケーブル
２１１  テストオンボタン
２１５  タイマ
【図１】
2017157356.tif 000003
【図２】
2017157356.tif 000004
【図３】
2017157356.tif 000005
【図４】
2017157356.tif 000006
【図５】
2017157356.tif 000007
【図６】
2017157356.tif 000008
【図７】
2017157356.tif 000009
【図８】
2017157356.tif 000010
【図９】
2017157356.tif 000011
【図１０】
2017157356.tif 000012